(57)【要約】【課題】メディア挿入排出口へ又はそれからメディアの挿入排出操作を容易且つ確実に行うことを可能にするメディア使用電子機器を提供する。【解決手段】サブパネル１２に設けられた、例えば複数のメディア挿入排出口１３Ａ、１３Ｂのメディアを、ユーザが排出又は挿入操作する便に供するため、排出ソフトキー１６Ａ、１６Ｂおよびメディア挿入排出口１３Ａ、１３Ｂ内のメディア有無表示１７Ａ、１７Ｂをパネル１４の表示部１５に表示する。【選択図】    図１
2004319004.tif 000002
【特許請求の範囲】
【請求項１】
メディア挿入排出口にメディアを挿入し、また挿入されたメディアを排出可能に構成されると共に情報を表示する表示部を備えるメディア使用電子機器において、
前記メディア挿入排出口に挿入された前記メディアを排出する際に、前記表示部に表示される表示画面を排出表示画面に切り替え、該排出表示画面に基づきユーザが操作可能にすることを特徴とするメディア使用電子機器。
【請求項２】
前記表示部の排出表示画面には、前記メディア排出用のソフトキーが表示されることを特徴とする請求項１に記載のメディア使用電子機器。
【請求項３】
前記表示部の排出表示画面には、前記メディア挿入排出口へのメディアの挿入又は未挿入状態を表示するメディア有無表示を行うことを特徴とする請求項１又は２に記載のメディア使用電子機器。
【請求項４】
前記メディア挿入排出口を、複数個備えることを特徴とする請求項１、２又は３に記載のメディア使用電子機器。
【請求項５】
前記複数のメディア挿入排出口に対応して前記ソフトキーによる排出スイッチを複数個設けることを特徴とする請求項４に記載のメディア使用電子機器。
【請求項６】
前記複数のメディア挿入排出口は、相互に異なるタイプのメディア用に設計されていることを特徴とする請求項５に記載のメディア使用電子機器。
【請求項７】
前記メディア有無表示は、前記排出スイッチの近傍に、前記メディアを表わす図形等により行うことを特徴とする請求項３、４、５又は６に記載のメディア使用電子機器。
【請求項８】
前記表示部は、可動パネルに設けられることを特徴とする請求項１乃至７の何れかに記載のメディア使用電子機器。
【請求項９】
前記排出表示画面は、前記メディアの排出又は挿入操作後、予め設定された一定時間経過時に消去されることを特徴とする請求項１乃至８の何れかに記載のメディア使用電子機器。
【発明の詳細な説明】
【０００１】
【発明の属する技術分野】
本発明は電子機器に関し、例えば、ＣＤ（コンパクトディスク）、ＭＤ（ミニディスク）及びＤＶＤ（デジタル多用途ディスク）等のデジタル情報記録用メディア又は媒体（以下、単にメディアという）を使用する車載用ＡＶ（オーディオビジュアル）又はカーナビゲーションシステム等のメディア使用電子機器に関する。
【０００２】
【従来の技術】
上述の如きメディアは、多量の情報（音楽情報及び地図等の図形情報）を高密度で記録し且つ再生するための手段として使用され、斯かるメディアを使用する種々の商品、即ちメディア使用電子機器が広く普及している。
【０００３】
斯かるメディア使用電子機器において、メディアは、使用（記録又は再生）時にメディア挿入排出口（又はスロット）に挿入される。また、メディアは、使用後又は他のメディアと交換する際には、メディア挿入排出口から排出される。斯かるメディア挿入排出口は、内部への異物侵入防止その他の目的で、通常状態において可動パネルで覆われているのが一般的である。一方、メディアの挿入排出時に、可動パネルが開き、メディア挿入排出口が現れるように構成されている。
【０００４】
図５は、従来の一般的なメディア使用電子機器の１例を示す。図５（Ａ）は、この従来のメディア使用電子機器５０の通常状態における斜め正面から見た斜視図であり、図５（Ｂ）は、メディアを挿入排出する状態における斜視図である。
【０００５】
この従来例のメディア使用電子機器５０は、全体的に略直方体のボックス状であり、正面のサブパネル５５に１以上（図示の特定例では２個）のメディア挿入排出口５１が形成され、予め設定された同一種類又は異種類のメディアの挿入排出を可能に構成している。メディアの挿入前又は挿入排出後には、図５（Ａ）に示す如く、サブパネル５５の前面の可動パネル５２を閉じ、サブパネル５５及びそのメディア挿入排出口５１を覆っている。この可動パネル５２には、前面に液晶表示パネル（ＬＣＤ）等の表示部５３及び操作スイッチ５４が設けられている。また、サブパネル５５の各メディア挿入排出口５１の近傍には、メディア排出スイッチ（イジェクトスイッチ）５６が設けられている。
【０００６】
メディア挿入排出口５１にメディア（図示せず）を挿入する際には、ユーザが指等で操作スイッチ５４を操作（タッチ）することにより、可動パネル５２を図５（Ｂ）に示す如く開放位置へ移動させる。これにより、サブパネル５５及びメディア挿入排出口５１が現れるので、ユーザは希望するメディアをメディア挿入排出口５１へ挿入可能である。一方、挿入されたメディアをメディア挿入排出口５１から排出するには、図５（Ｂ）に示す可動パネル５２の開放状態において、希望するメディア挿入排出口５１の近傍のイジェクトスイッチ５６を操作（タッチ）することにより、内部に挿入されているメディアが、電動により自動的に排出される。
【０００７】
【発明が解決しようとする課題】
上述の如き従来のメディア使用電子機器にあっては、メディア挿入排出口への又はそれからのメディアの挿入排出は、それぞれユーザが可動パネル５２上の操作スイッチ５４の操作又はサブパネル５５上のイジェクトスイッチ５６を操作することにより行っている。従って、複数のメディア挿入排出口を有するメディア使用電子機器の場合には、メディア挿入排出口の個数に対応する複数のイジェクトスイッチを設ける必要がある。斯かるイジェクトスイッチは、低照明の環境においても適切に操作可能にするため、キー照明及びそのための基板等を必要とするので、メディア使用電子機器のコストを上昇するという課題があった。
【０００８】
また、複数のメディア挿入排出口を有するメディア使用電子機器においては、どのメディア挿入排出口にメディアが挿入されているか又はいないのかの判断が困難又は不可能である。従って、既にメディアが挿入されているメディア挿入排出口に別のメディアを２重挿入し又はメディアが挿入されていないメディア挿入排出口からメディアの排出操作をする等の不都合（又は不便）があった。
【０００９】
【発明の目的】
本発明は、従来技術の上述した課題に鑑みなされたものであり、メディア挿入排出口へのメディアの挿入排出動作を簡単且つ確実に行うことを可能にするメディア使用電子機器を提供することである。
【００１０】
【課題を解決するための手段】
前述の課題を解決するため、本発明によるメディア使用電子機器は、次のような特徴的な構成を採用している。
【００１１】
（１）メディア挿入排出口にメディアを挿入し、また挿入されたメディアを排出可能に構成されると共に情報を表示する表示部を備えるメディア使用電子機器において、
前記メディア挿入排出口に挿入された前記メディアを排出する際に、前記表示部に表示される表示画面を排出表示画面に切り替え、該排出表示画面に基づきユーザが操作可能にするメディア使用電子機器。
【００１２】
（２）前記表示部の排出表示画面には、前記メディア排出用のソフトキーが表示される上記（１）のメディア使用電子機器。
【００１３】
（３）前記表示部の排出表示画面には、前記メディア挿入排出口へのメディアの挿入又は未挿入状態を表示するメディア有無表示を行う上記（１）又は（２）のメディア使用電子機器。
【００１４】
（４）前記メディア挿入排出口を、複数個備える上記（１）、（２）又は（３）のメディア使用電子機器。
【００１５】
（５）前記複数のメディア挿入排出口に対応して前記ソフトキーによる排出スイッチを複数個設ける上記（４）のメディア使用電子機器。
【００１６】
（６）前記複数のメディア挿入排出口は、相互に異なるタイプのメディア用に設計されている上記（５）のメディア使用電子機器。
【００１７】
（７）前記メディア有無表示は、前記排出スイッチの近傍に、前記メディアを表わす図形等により行う上記（３）、（４）、（５）又は（６）のメディア使用電子機器。
【００１８】
（８）前記表示部は、可動パネルに設けられる上記（１）乃至（７）の何れかのメディア使用電子機器。
【００１９】
（９）前記排出表示画面は、前記メディアの排出又は挿入操作後、予め設定された一定時間経過時に消去される上記（１）乃至（８）の何れかのメディア使用電子機器。
【００２０】
【発明の実施の形態】
以下、本発明によるメディア使用電子機器の好適実施形態の構成及び動作を、添付図面を参照して詳細に説明する。
【００２１】
先ず、図１は、本発明によるメディア使用電子機器の第１実施形態の構成を示し、（Ａ）は可動パネルの開放状態の斜視図であり、（Ｂ）は可動パネルの操作部を示す斜視図である。
【００２２】
このメディア使用電子機器１０は、略ボックス状の筺体１１を有し、その前面のサブパネル１２に、例えばＤＶＤ挿入排出口１３Ａ及びＭＤ挿入排出口１３Ｂが形成されている。また、このメディア使用電子機器１０の前面には、可動パネル１４が設けられている。この可動パネル１４は、サブパネル１２を覆うように回動する又は電子機器１０の筺体１１内へ又は外部へスライドするスライド型であってもよい。また、この可動パネル１４には、ＬＣＤ等の表示部１５が設けられている。
【００２３】
図１（Ｂ）に示す如く、この可動パネル１４は、図１（Ａ）に示す開放状態のとき、メディア排出ソフトキー（タッチパネル）、この特定実施形態では、ＤＶＤイジェクト１６Ａ及びＭＤイジェクト１６Ｂが表示される。これと同時に、これらメディア排出ソフトキー１６Ａ及び１６Ｂの近傍に、それぞれ対応してメディア挿入排出口１３Ａ及び１３Ｂに挿入済みのメディアを表示するメディア表示１７Ａ及び１７Ｂが、好ましくは図形により表示される。
【００２４】
図１に示すメディア使用電子機器１０において、ＤＶＤ挿入排出口１３Ａ及びＭＤ挿入排出口１３Ｂの両方に、それぞれＤＶＤ及びＭＤのメディアが挿入されていると仮定する。この場合には、図１（Ｂ）に示す如く、表示部１５の上部左右に、それぞれＤＶＤ排出ソフトキー１６Ａ及びＭＤ排出ソフトキー１６Ｂが配置（表示）される。また、これら排出ソフトキー１６Ａ及び１６Ｂに隣接する下方に、それぞれＤＶＤを示す円形のＤＶＤ表示１７Ａ及びＭＤを示す略正方形のＭＤ表示１７Ｂが表示される。これによりＤＶＤ挿入排出口１３Ａ及びＭＤ挿入排出口１３Ｂに、それぞれＤＶＤ及びＭＤが挿入されていることを示す。
【００２５】
次に、図２のフローチャートを参照して、図１に示す本発明によるメディア使用電子機器１０の動作を説明する。図２（Ａ）は通常動作時のフローチャートであり、（Ｂ）はバックアップ時のフローチャートである。以下、通常動作時の動作を説明し、その後にバックアップ時の動作を説明する。
【００２６】
先ず、図２（Ａ）を参照して説明する。図１には図示しないが、可動パネル１４の前面にはパネル開放スイッチ（ＯＰＥＮ  ＳＷ）が設けられているものとする。ユーザは、このパネル開放スイッチを操作してパネルをＯＰＥＮする（ステップＡ１）。次に、ＤＶＤ挿入排出口１３Ａ及びＭＤ挿入排出口１３ＢのＥＪＥＣＴ表示を行う（ステップＡ２）。ここで、ＥＪＥＣＴ表示は、メディア有りの場合のみ表示させることができる。続いて、メディア使用電子機器１０に設けられたセンサにより、ＤＶＤ及びＭＤ挿入排出口１３Ａ及び１３Ｂにそれぞれ挿入されたメディアであるＤＶＤ及びＭＤが挿入されているか否かを検出する（ステップＡ３）。挿入されたメディアがない場合（ステップＡ３：無）には、後述するステップＡ７へ移行する。一方、メディアが挿入されている場合（ステップＡ３：有）には、メディアあり表示を行う（ステップＡ４）。
【００２７】
次に、ユーザが、排出スイッチ（ＥＪＥＣＴ  ＳＷ）であるタッチパネル１６Ａ又は１６Ｂを操作するか否か判断する（ステップＡ５）。排出スイッチ１６Ａ又は１６Ｂを操作しない場合（ステップＡ５：無操作）には、後述するステップＡ１０へ移行する。排出スイッチを操作した場合（ステップＡ５：操作）には、メディアを排出し（ステップＡ６）、メディア無し表示を行う（ステップＡ７）。そして、ＤＶＤ又はＭＤ挿入排出口１３Ａ又は１３Ｂへユーザがメディアを挿入するか否かを判断する（ステップＡ８）。メディアを挿入する場合（ステップＡ８：挿入）には、後述するステップＡ１０へ移行する。メディアを挿入しない場合（ステップＡ８：未挿入）には、パネル開放スイッチの操作／未操作を判断する（ステップＡ９）。次に、所定時間（ｘ秒間）タイマを作動させ（ステップＡ１０）、所定時間がタイムアウトすると、パネル１４を閉じる（ステップＡ１１）。
【００２８】
尚、ここでメディアの有無表示は、メディアの挿入時にのみ、該当するメディアのシンボルを表示し、挿入なしの場合には何ら表示しないようにしてもよい。
【００２９】
次に、図２（Ｂ）を参照してバックアップ時の動作を説明する。パネル開放スイッチを操作するとマイコンを起動し（ステップＢ１）、パネル１４を開放（ＯＰＥＮ）し（ステップＢ２）、ＥＪＥＣＴ表示を行う（ステップＢ３）。次に、メディア挿入排出口１３内のメディアの有無を確認する（ステップＢ４）。メディアがない場合（ステップＢ４：無）には、後述するステップＢ８へ移行する。一方、メディアがある場合（ステップＢ４：有）には、表示部１５にメディア有り表示を行う（ステップＢ５）。
【００３０】
続いて、排出スイッチ（ＥＪＥＣＴ  ＳＷ）１６の操作の有無を判断する（ステップＢ６）。無操作の場合には、後述するステップＢ１１へ移行し、操作した場合には、対応するメディア挿入排出口１３からメディアを排出する（ステップＢ７）。その結果、メディア挿入排出口１３からメディアが排出されるので、表示部１５のメディア有無表示１７として「メディア無し」を表示する（ステップＢ８）。次に、代替メディアの挿入の有無を判断する（ステップＢ９）。メディアが未挿入であれば、パネル開放スイッチの操作又は未操作を判断する（ステップＢ１０）。そして、ｘ秒間タイマを始動させ（ステップＢ１１）、所定時間の経過後にパネル１４を閉じ（ステップＢ１２）、マイコンはスリープ状態へ移行する（ステップＢ１３）。
【００３１】
次に、本発明によるメディア使用電子機器の第２実施形態を説明する。上述した第１実施形態のメディア使用機器１０の如くパネル上にパネル開放キーではなく、排出指示ハードキー（図示しない）を設けた例である。例えば、メディア挿入排出口（図１の符号１３参照）に既にメディアが挿入されているとき、排出ハードキーを操作（押圧）すると、メディア排出動作を行い、同時に画面を切り替えてメディア挿入可能表示を行う。また、メディア未挿入時も同様であり、ハードキーを操作すると、メディア挿入準備動作（パネル開放）を行い、同時に表示画面を切り換えてメディア挿入可能表示を行う。
【００３２】
図２（Ａ）及び（Ｂ）に対応する図３（Ａ）及び（Ｂ）のフローチャートを参照して説明する。図３（Ａ）の通常動作において、メディア排出スイッチによりパネル開放する（ステップＣ１）。次に、メディア挿入排出口内のメディアの有無を確認する（ステップＣ２）。メディアが挿入されていると、メディアが排出され（ステップＣ３）、メディア排出後又は挿入されたメディアがない場合（ステップＣ２：無）には、パネルの表示部にメディア挿入可能状態を表示する（ステップＣ４）。次に、メディア挿入の有無を判断する（ステップＣ５）。挿入すると、パネルを閉じ（ステップＣ８）、未挿入であれば、メディア排出スイッチの操作／未操作を判断する（ステップＣ６）。未操作であれば、ｘ秒間のタイマを始動させ（ステップＣ７）、所定時間の経過後に、パネルを閉じる（ステップＣ８）。
【００３３】
次に、図３（Ｂ）のバックアップ時の動作において、メディア排出スイッチを操作すると、マイコンが起動し（ステップＤ１）、パネルが開放する（ステップＤ２）。次に、メディア挿入排出口内のメディアの有無を確認する（ステップＤ３）。メディアがあれば、そのメディアを排出し（ステップＤ４）、メディア挿入可能表示を行い（ステップＤ５）、例えば別のメディア挿入／未挿入を判断する（ステップＤ６）。メディアを挿入すれば、マイコンはスリープ状態へ移行し（ステップＤ１０）、未挿入であれば、メディア排出スイッチの操作／未操作を判断する（ステップＤ７）。未操作であれば、ｘ秒間タイマを起動させ（ステップＤ８）、所定時間のタイムアウト後にパネルを閉じ（ステップＤ９）、マイコンスリープ状態へ移行する（ステップＤ１０）。
【００３４】
次に、本発明によるメディア使用電子機器の第３実施形態について説明する。図４は、このメディア使用電子機器３０を示し、（Ａ）は全体の斜視図、（Ｂ）はそのパネルの斜視図を示す。このメディア使用電子機器３０は、略ボックス状の筺体３１、複数のメディア挿入排出口３３Ａ、３３Ｂが形成されたサブパネル３２及び可動パネル３４により構成される。可動パネル３４は、文字や図形等の情報を表示するＬＣＤ等の表示部３５及び複数のファンクションキー（図示の特定例では、Ｆ１〜Ｆ４の４個）３８を有する。
【００３５】
このメディア使用電子機器３０にあっては、ＤＶＤ、ＭＤ等の可動パネル３４の周辺部（且つ表示部３５の近傍）に設けられた複数のファンクションキー３８の１つ（例えばＦ１）を押圧操作してファンクションキー３８をメディア排出指示キーに切り替える。これにより、表示部３５には、図４（Ｂ）に示す如くＤＶＤ排出３６Ａ及びＭＤ排出３６Ｂの如き表示が現れる。これは、図４（Ｂ）において、Ｆ１キーを押すとＤＶＤ排出を、Ｆ２キーを押すとＭＤ排出を指示することを示している。また、これと同時に、これらメディア排出表示の近傍（図４（Ｂ）中では、上方）に、メディア挿入排出口３３Ａ及び３３Ｂ内のメディアの有無に応じてメディア有無表示３７Ａ及び３７Ｂを行う。ユーザは、これらの表示に基づき、適切なメディアの挿入／排出を行うことが可能である。
【００３６】
上述した本発明のメディア使用電子機器によると、機器に設けられた１個以上のメディア挿入排出時に、必要な情報表示画面に切り替え、メディア有無表示又は排出可能表示を行う。また、ファンクションキーを操作して、メディア排出指示キーを表示させる。
【００３７】
以上、本発明によるメディア使用電子機器の好適実施形態の構成及び動作を詳述した。しかし、斯かる実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。例えば、メディア有無表示は、メディア自体のシンボル表示の有無又はこれらメディアの有無を示す文字や記号等でもよい。更に、複数のメディア挿入排出口が、同じタイプのメディア用であれば、それらにＮＯ．１、ＮＯ．２、・・・又は＃１、＃２、・・・の如く番号を付して識別してもよい。
【００３８】
【発明の効果】
以上の説明から明らかな如く、本発明のメディア使用電子機器によると、次の如き実用上の顕著な効果が得られる。即ち、メディア挿入排出モードにすると、表示部の画面が切り替えられ、機器に設けられた１個以上のメディア挿入排出口の排出表示及びメディア挿入排出口内のメディアの有無が表示可能である。従って、機器のサブパネル上に排出スイッチを設ける必要がなく、機器の小型化及びコスト低減に寄与する。
【００３９】
また、ユーザは、これらの表示に基づいて、必要な排出キーを操作し、排出可能である。更に、既にメディアが挿入されたメディア挿入口に誤って別のメディアを挿入することにより機器又はメディアを破損する虞を効果的に回避可能である。本発明は、ＤＶＤ、ＭＤ及びＣＤ等の異なる又は同じタイプの複数のメディアを使用する電子機器の場合に特に好適である。
【図面の簡単な説明】
【図１】本発明によるメディア使用電子機器の第１実施形態の構成を示し、（Ａ）は機器の全体斜視図、（Ｂ）はそのパネルの斜視図である。
【図２】図１に示すメディア使用電子機器の動作を示すフローチャートである。
【図３】本発明によるメディア使用電子機器の第２実施形態の動作を説明するフローチャートである。
【図４】本発明によるメディア使用電子機器の第３実施形態の構成を示し、（Ａ）は機器の全体斜視図、（Ｂ）はそのパネルの斜視図である。
【図５】従来のメディア使用電子機器の構成を示し、（Ａ）は通常使用状態の斜視図、（Ｂ）はメディア挿入／排出時の斜視図である。
【符号の説明】
１０、３０  メディア使用電子機器
１１、３１  筺体
１２、３２  サブパネル
１３、３３  メディア挿入排出口
１４、３４  可動パネル
１５、３５  表示部
１６、３６  排出スイッチ（ソフトキー）
１７、３７  メディア有無表示
３８        ファンクションキー
【図１】
2004319004.tif 000003
【図２】
2004319004.tif 000004
【図３】
2004319004.tif 000005
【図４】
2004319004.tif 000006
【図５】
2004319004.tif 000007